(57)【要約】      （修正有）【課題】人が装置に接近して装置の前に立ったときの製品の視認度の増大が達成されるスイングドアシステムおよび冷凍庫装置を提供する。【解決手段】冷凍庫装置とスイングドアシステム２において、スイングドア１ａ,１ｂに接触する少なくとも１つの仕切り５を有しており、前記スイングドア１ａ,１ｂは、透明ガラス３ａ,３ｂおよび不透明エリアを有しており、前記不透明エリアは、前記スイングドア１ａ,１ｂが閉鎖位置にあるときには前記仕切り５の近位に位置しており、前記不透明エリアと前記仕切り５とは、不透明領域９を画定しており、前記スイングドア１ａ,１ｂが閉鎖位置にあるときに前記スイングドア１ａ,１ｂが配置されている平面に対して０°〜１８０°の水平視野角では、前記不透明領域９の水平方向の径はすべて、１００ｍｍ未満、好適には８０ｍｍ未満、より好適には７０ｍｍ未満、最適には６０ｍｍ未満とする。【選択図】図２
2020183864.tif 000002
【特許請求の範囲】
【請求項１】
冷凍庫装置（２５）と共に使用するためのスイングドアシステム（２）であって、前記スイングドアシステム（２）は、２つの隣り合うスイングドア（１ａ,１ｂ）およびこれらのスイングドア（１ａ,１ｂ）に接触する少なくとも１つの仕切り（５）を有しており、
各前記スイングドア（１ａ,１ｂ）は、透明ガラス（３ａ,３ｂ）および不透明エリアを有しており、各前記不透明エリアは、前記スイングドア（１ａ,１ｂ）が閉鎖位置にあるときには前記仕切り（５）の近位に位置しており、
前記不透明エリアと前記仕切り（５）とは、不透明領域（９）を画定しており、
前記スイングドア（１ａ,１ｂ）が閉鎖位置にあるときに前記スイングドア（１ａ,１ｂ）が配置されている平面に対して０°〜１８０°の水平視野角では、前記不透明領域（９）の水平方向の径（１０，１０’）はすべて、１００ｍｍ未満、好適には８０ｍｍ未満、より好適には７０ｍｍ未満、最適には６０ｍｍ未満である、
スイングドアシステム（２）。
【請求項２】
前記スイングドア（１ａ,１ｂ）が閉鎖位置にあるときに前記スイングドア（１ａ,１ｂ）が配置されている平面に対して０°〜１８０°の水平視野角では、前記不透明領域（９）の少なくとも１つの前記水平方向の径（１０，１０’）は、８０ｍｍ未満、好適には７０ｍｍ未満、より好適には５０ｍｍ未満、最適には４５ｍｍ未満である、
請求項１記載のスイングドアシステム（２）。
【請求項３】
前記スイングドア（１ａ,１ｂ）が閉鎖位置にあるときに前記スイングドア（１ａ,１ｂ）が配置されている平面に対して０°〜１８０°の水平視野角では、前記不透明領域（９）の水平方向の最大径（１０，１０’）と、前記不透明領域（９）の水平方向の最小径（１０，１０’）との間の比は、２未満、好適には１．５未満、より好適には１．２未満である、
請求項１または２記載のスイングドアシステム（２）。
【請求項４】
前記不透明領域（９）の幅（１２）は、７０ｍｍ未満、好適には６０ｍｍ未満、より好適には５０ｍｍ未満、最適には４５ｍｍ未満であり、かつ／または
前記不透明領域（９）の幅（１２）は、２５ｍｍ〜６０ｍｍの範囲内、好適には２５ｍｍ〜５０ｍｍの範囲内、最適には２５ｍｍ〜４０ｍｍの範囲内にある、
請求項１から３までのいずれか１項記載のスイングドアシステム（２）。
【請求項５】
前記不透明領域（９）の奥行き（１１）は、７０ｍｍ未満、好適には６０ｍｍ未満、より好適には５０ｍｍ未満、最適には４５ｍｍ未満であり、かつ／または
前記不透明領域（９）の奥行き（１１）は、２５ｍｍ〜６０ｍｍの範囲内、好適には２５ｍｍ〜５０ｍｍの範囲内、最適には２５ｍｍ〜４０ｍｍの範囲内にある、
請求項１から４までのいずれか１項記載のスイングドアシステム（２）。
【請求項６】
前記仕切り（５）の横断面は、Ｔ字形またはＹ字形または三角形であり、かつ／または
前記仕切り（５）は、少なくとも、２つの隣り合う前記スイングドア（１ａ,１ｂ）の下から上まで延在する領域内では一体に形成されている、
請求項１から５までのいずれか１項記載のスイングドアシステム（２）。
【請求項７】
前記仕切り（５）は、少なくとも、２つの隣り合う前記スイングドア（１ａ,１ｂ）の下から上まで延在する領域において、形状結合式かつ／またはプレス嵌め式に互いに連結されかつ／または互いに確実に結合された、２つの部材を有しており、かつ／または
前記仕切り（５）は、キャビティを有しており、かつ／または
前記仕切り（５）は、中実である、
請求項１から６までのいずれか１項記載のスイングドアシステム（２）。
【請求項８】
前記スイングドア（１ａ,１ｂ）が閉鎖位置にあるとき、前記仕切り（５）の部分（６）は、２つの隣り合う前記スイングドア（１ａ,１ｂ）の間に延在している、
請求項１から７までのいずれか１項記載のスイングドアシステム（２）。
【請求項９】
前記仕切り（５）に、断熱成形部材（３３）が取り付けられている、
請求項１から８までのいずれか１項記載のスイングドアシステム（２）。
【請求項１０】
前記断熱成形部材（３３）は、前記仕切り（５）に、形状結合式かつ／またはプレス嵌め式に取り付けられており、かつ／または、前記断熱成形部材（３３）は、例えば接着材料（３９）により前記仕切り（５）に確実に接着されている、
請求項９記載のスイングドアシステム（２）。
【請求項１１】
前記断熱成形部材（３３）は、プラスチック、好適にはポリマ、より好適にはポリ塩化ビニル、または金属から製造されている、
請求項９または１０記載のスイングドアシステム（２）。
【請求項１２】
前記断熱成形部材（３３）は、空間（３８）を有しており、好適には前記断熱成形部材（３３）は、少なくとも部分的にＣ字形の横断面を有しており、前記断熱成形部材（３３）の前記空間（３８）は、断熱材（３４）、好適には発泡体、より好適にはポリウレタン発泡体で満たされている、
請求項９から１１までのいずれか１項記載のスイングドアシステム（２）。
【請求項１３】
前記仕切り（５）は、少なくとも１つ、好適には少なくとも２つのシール面（７ａ,７ｂ）を有しており、好適には前記２つのシール面（７ａ,７ｂ）は、それぞれ、前記スイングドア（１ａ,１ｂ）が閉鎖位置にあるときに前記スイングドア（１ａ,１ｂ）が配置されている平面に対して傾斜している、
請求項１から１２までのいずれか１項記載のスイングドアシステム（２）。
【請求項１４】
前記仕切り（５）にパッキン（８ａ,８ｂ）が取り付けられておりかつ／または前記断熱成形部材（３３）にパッキン（８ａ,８ｂ）が取り付けられている、
請求項１から１３までのいずれか１項記載のスイングドアシステム（２）。
【請求項１５】
前記パッキン（８ａ,８ｂ）および前記断熱成形部材（３３）は、隣り合う前記スイングドア（１ａ,１ｂ）が閉鎖位置にあるときに、前記仕切り（５）と前記冷凍庫装置（２５）の内部との間にバリアを形成するように配置されている、
請求項１４記載のスイングドアシステム（２）。
【請求項１６】
前記スイングドア（１ａ,１ｂ）の少なくとも一方に、パッキン（８ａ,８ｂ）が取り付けられている、
請求項１から１５までのいずれか１項記載のスイングドアシステム（２）。
【請求項１７】
前記スイングドア（１ａ,１ｂ）が閉鎖位置にあるときに、前記スイングドア（１ａ,１ｂ）を前記仕切り（５）に磁気的に結合するために、磁気手段（１３ａ,１３ｂ）が設けられており、かつ／または
前記スイングドア（１ａ,１ｂ）の前記透明ガラス（３ａ,３ｂ）には、ガスが充填された絶縁ガラスユニットまたは真空絶縁ガラスユニットが含まれており、かつ／または
前記スイングドア（１ａ,１ｂ）の少なくとも一方は、前記不透明領域（９）において少なくとも部分的に、好適には不透明インクにより印刷されている（１６ａ,１６ｂ）、
請求項１から１６までのいずれか１項記載のスイングドアシステム（２）。
【請求項１８】
前記仕切り（５）は、金属、好適にはアルミニウムまたは鋼、またはプラスチック、好適には繊維強化プラスチック、またはプラスチック被覆金属、好適にはプラスチック被覆アルミニウムまたはプラスチック被覆鋼から製造されており、かつ／または
前記スイングドア（１ａ,１ｂ）の少なくとも一部を加熱するための加熱手段が一切設けられておらず、かつ／または
前記仕切り（５）の少なくとも一部および／または水平方向の成形部材（２２）の少なくとも一部を加熱するための加熱手段が設けられており、かつ／または
キャビネット（２６）の少なくとも一部を照明するための照明手段が設けられている、
請求項１から１７までのいずれか１項記載のスイングドアシステム（２）。
【請求項１９】
前記スイングドア（１ａ,１ｂ）は、それぞれ少なくとも部分的に、成形部材（１４ａ，１４ｂ）、好適には中実の成形部材（１４ａ，１４ｂ）、より好適にはＬ字形の横断面を有する中実の成形部材（１４ａ，１４ｂ）により包囲されている、
請求項１から１８までのいずれか１項記載のスイングドアシステム（２）。
【請求項２０】
前記パッキン（８ａ,８ｂ）は、隣り合う前記スイングドア（１ａ,１ｂ）が閉鎖位置にあるときに、前記成形部材（１４ａ，１４ｂ）と前記冷凍庫装置（２５）の内部との間にバリアを形成するように配置されている、
請求項１９記載のスイングドアシステム（２）。
【請求項２１】
前記スイングドア（１ａ,１ｂ）の少なくとも一方の回転軸（１７）は、前記不透明領域（９）内に配置されており、かつ／または
前記スイングドア（１ａ,１ｂ）の少なくとも一方の前記回転軸（１７）は、前記不透明領域（９）の奥行きに対して偏心的に位置しており、かつ／または
前記回転軸（１７）は、隣り合う前記スイングドア（１ａ,１ｂ）間の領域に配置されている、
請求項１から２０までのいずれか１項記載のスイングドアシステム（２）。
【請求項２２】
前記スイングドア（１ａ,１ｂ）の少なくとも一方は、前記少なくとも一方のスイングドア（１ａ,１ｂ）の互いに反対の側の各端部にヒンジ（２１）を有している、
請求項１から２１までのいずれか１項記載のスイングドアシステム（２）。
【請求項２３】
スイングドアシステムの開放方向が水平方向になるようにキャビネット（２６）に配置された、請求項１から２２までのいずれか１項記載のスイングドアシステム（２）を少なくとも１つ有している、冷凍庫装置（２５）。
【発明の詳細な説明】
【技術分野】
【０００１】
本発明は、冷凍庫装置と共に使用するためのスイングドアシステムであって、２つの隣接するスイングドアおよびこれらのスイングドアに接触する少なくとも１つの仕切りを有しており、各スイングドアは、透明ガラスおよび不透明エリアを有しており、スイングドアが閉鎖位置にある場合には、各不透明エリアは仕切りの近位に位置しており、不透明エリアおよび仕切りは、不透明領域を画定している、スイングドアシステムに関する。
【０００２】
さらに本発明は、少なくとも１つのスイングドアシステムを有する冷凍庫装置に関する。
【背景技術】
【０００３】
冷凍庫装置は、例えばスーパーマーケットおよびその他の商店において冷凍品を提供するために使用される。冷凍庫装置用の従来の枠およびドアは、典型的には頑丈で大型の成形部材構造を有している。これらの構造は、冷凍庫装置内の提供品を消費者が購入する過程の間中、消費者の視界を遮ることになる。
【０００４】
特に従来の冷凍庫装置は、例えば野菜、冷凍肉、冷凍ピザ等の冷凍製品が冷凍庫内で保存され得るように庫内が冷却されねばならないため、極めて大型の成形部材構造を有している。冷凍庫の内部と周囲温度との間の大きな温度差を可能にするために、これらの冷凍庫は断熱式の、したがって厚いドアを有している。よって、これらの厚いドアおよび上述したように冷凍庫内に対する人の視界を遮ることを受け入れるためには、相応に広幅で頑丈な成形部材が使用されねばならない。
【発明の概要】
【発明が解決しようとする課題】
【０００５】
したがって本発明の実施形態は、特に人が装置に接近して装置の前に立ったときの製品の視認度の増大が達成されるように、スイングドアシステムおよび冷凍庫装置を改良しかつさらに発展させる、という問題に取り組むものである。
【課題を解決するための手段】
【０００６】
１つの実施形態では、本発明は、冷凍庫装置と共に使用するためのスイングドアシステムであって、２つの隣り合うスイングドアおよびこれらのスイングドアに接触する少なくとも１つの仕切りを有しており、各スイングドアは、透明ガラスおよび不透明エリアを有しており、各不透明エリアは、スイングドアが閉鎖位置にあるときには仕切りの近位に位置しており、不透明エリアと仕切りとは、不透明領域を画定しており、スイングドアが閉鎖位置にあるときにスイングドアが配置されている平面に対して０°〜１８０°の水平視野角では、好適には透明ガラスのあらゆる所与の高さにおいて、すなわち鉛直方向の全高にわたり、不透明領域の水平方向の径はすべて、１００ｍｍ未満、好適には８０ｍｍ未満、より好適には７０ｍｍ未満、最適には６０ｍｍ未満である、スイングドアシステムを提供する。
【０００７】
本開示はさらに、スイングドアシステム用、好適には請求項１から２２までのいずれか１項記載のスイングドアシステム用の仕切りを説明するものであり、仕切りの幅および／または奥行きは、７０ｍｍ未満、好適には６０ｍｍ未満、より好適には５０ｍｍ未満、最適には４５ｍｍ未満である。
【０００８】
１つの別の実施形態では、本発明は、冷凍庫装置であって、スイングドアシステムの開放方向が水平方向になるようにキャビネットに配置された、請求項１から２２までのいずれか１項記載のスイングドアシステムを少なくとも１つ有している、冷凍庫装置を提供する。
【０００９】
複数の利点のうちの１つは、少なくとも顧客が０°〜１８０°の水平視野角で冷凍庫内を覗き込む場合に、製品の視認度が増大されている、という点にある。これにより、冷凍庫装置の機械的な安定性を低下させること無しに、不透明領域が最小化されている。請求項１記載のスイングドアシステムは、好適にはスイングドアシステムの開放方向が水平方向になるように配置されている、ということに留意されたい。
【００１０】
請求項１から２３までのいずれか１項記載の冷凍庫装置の仕切りに関して説明する技術的な特徴は、本開示に記載された仕切りにより実現されてもよい。
【００１１】
「冷凍庫装置」という用語は、特に請求項において、好適には説明において、食品の温度が通常の使用条件において典型的には−１２℃〜−３０℃に保たれる装置を指す。通常の条件は、製造者の推奨に従ってキャビネットがすべての常設アクセサリを含めて組み立てられかつ配置され、使用される場合に生じる作動条件として規定されている。前記のような食品の典型的な例は、ＥＮ２３９５３、第２部（２０１２年９月）に従って温度クラスＬ１，Ｌ２およびＬ３で保管される製品である。
【００１２】
「仕切り」という用語は、特に請求項において、好適には説明において、冷凍庫装置の取付け枠に取り付けられた鉛直方向の成形部材を指し、仕切りにおいて、冷凍庫装置の２つの隣り合うドアが接触し合う。従来、仕切りは、ドアが閉鎖位置にあるときにシール式にドアを支持することができる中央支持面を形成するために使用されてきた。
【００１３】
「鉛直方向側」という用語は、特に請求項において、好適には説明において、冷凍庫キャビネットの外側の位置に設けられた取付け枠の鉛直方向の成形部材を指す（典型的には左側または右側）。
【００１４】
「水平方向の成形部材」という用語は、特に請求項において、好適には説明において、冷凍庫装置の取付け枠の水平方向の成形部材を指す。典型的には、１つの水平方向の上部成形部材および１つの水平方向の下部成形部材が設けられている。
【００１５】
「取付け枠」という用語は、水平方向の上下の成形部材と、左右の鉛直方向側とを有する支持構造体を指す。少なくとも一対のリバーシブルドアが、選択的な左手および右手開放方向で、取付け枠に旋回可能に取り付けられてよい。
【００１６】
キャビネットには、いくつかの取付け枠が取り付けられてよい。択一的に、１つの装置の水平方向の複数の成形部材が、１列の成形部材を成すように配置されてもよい。
【００１７】
仕切りおよび／または鉛直方向側および／または水平方向の成形部材は、冷凍庫装置のキャビネット構造体に組み込まれてもよい、ということに留意されたい。
【００１８】
「不透明」という用語は、特に請求項において、好適には説明において、冷凍庫装置内の品物、製品または類似のものに対する視界が、冷凍庫装置の１つ以上の不透明部材、例えばスペーサ、成形部材、パッキン、仕切りまたはスイングドアにより遮られるまたは妨げられる領域、エリアまたは類似のものを指す。
【００１９】
当業者は、人の目視方向には鉛直方向部分および水平方向部分が含まれる、ということを理解している。よって「水平視野角」という用語は、水平面への目視方向の投影と、スイングドアが閉鎖位置にあるときにスイングドアが配置されている平面との間の角度により規定される。さらに、スイングドアが閉鎖位置にあるときにスイングドアが配置されている平面は、冷凍庫装置の外側の透明ガラスの表面を指す。
【００２０】
「水平方向の径」という用語は、特に請求項において、好適には説明において、所与の高さの水平面において測定された長さを指す。よって、所与の高さの不透明領域の水平方向の径は、水平視野角に左右され、製品に対する視野が妨げられている領域の長さを表す。
【００２１】
「幅」という用語は、特に請求項において、好適には説明において、スイングドアが閉鎖位置にあるときにスイングドアが配置されている平面内で測定された水平方向の長さを指す。よって、不透明領域の幅は、スイングドアが閉鎖位置にあるときにスイングドアが配置されている平面に対して９０°の角度で見たときの水平方向の径に相当する。
【００２２】
「奥行き」という用語は、特に請求項において、好適には説明において、スイングドアが閉鎖位置にあるときにスイングドアが配置されている平面に対して垂直な平面内で測定された長さを指す。よって、不透明領域の奥行きは、スイングドアが閉鎖位置にあるときにスイングドアが配置されている平面に対して０°または１８０°の角度で見たときの水平方向の径に相当する。
【００２３】
「鉛直方向」という用語は、特に請求項において、好適には説明において、下げ振り線により具体化されるような、上向きまたは下向きの、重力の力の方向と整合する方向を指す。
【００２４】
「水平方向」という用語は、特に請求項において、好適には説明において、鉛直方向に対して垂直な方向を指す。
【００２５】
１つの別の実施形態では、スイングドアが閉鎖位置にあるときにスイングドアが配置されている平面に対して０°〜１８０°の水平視野角において、不透明領域の少なくとも１つの水平方向の径は、８０ｍｍ未満、好適には７０ｍｍ未満、より好適には５０ｍｍ未満、最適には４５ｍｍ未満である。よって、成形部材のような大型の不透明コンポーネントを有する周知の装置と比較して、冷凍庫装置内への人の視野が妨げられることが少なくなっている。
【００２６】
別の実施形態では、透明ガラスの好適にはあらゆる所与の高さにおいて、スイングドアが閉鎖位置にあるときにスイングドアが配置されている平面に対して０°〜１８０°の水平視野角では、不透明領域の水平方向の最大径と、不透明領域の水平方向の最小径との間の比は２未満、好適には１．５未満、より好適には１．２未満である。これにより、不透明領域はさらに最小化されている。
【００２７】
１つの別の実施形態では、前記不透明領域の幅は７０ｍｍ未満、好適には６０ｍｍ未満、より好適には５０ｍｍ未満、最適には４５ｍｍ未満である。このことは、顧客がおよそ９０°の視野角で冷凍庫装置内を見た場合の製品の視認度が向上されている、という利点を有している。
【００２８】
１つの実施形態では、不透明領域の幅は、２５ｍｍ〜６０ｍｍ、好適には２５ｍｍ〜５０ｍｍ、最適には２５ｍｍ〜４０ｍｍの範囲内にある。それぞれに寸法設定された不透明領域は、選択段階中、すなわち顧客が閉じられたスイングドアの前に立っているときの視認度を向上させる。別の利点は、安定した、機械的に信頼性のある装置の構造が提供される、という点にある。
【００２９】
１つの別の実施形態では、不透明領域の奥行きは７０ｍｍ未満、好適には６０ｍｍ未満、より好適には５０ｍｍ未満、最適には４５ｍｍ未満である。不透明領域の奥行きは、好適には２５ｍｍ〜６０ｍｍ、より好適には２５ｍｍ〜５０ｍｍ、最適には２５ｍｍ〜４０ｍｍの範囲内にある。上述のように寸法設定された不透明領域を有する冷凍庫装置の利点は、顧客がおよそ４５°の角度で冷凍庫装置内を見た場合に、従来技術の構成に比べて製品の視認度が向上されている、という点にある。
【００３０】
１つの別の実施形態では、仕切りの横断面はＴ字形またはＹ字形または三角形である。Ｔ字形の仕切りは、極めて堅牢な構造を提供する、という利点を有している。Ｙ字形の仕切りは、配線または照明取付け具を仕切りの背後に隠すことができるため、顧客の視野が配線により邪魔されない、という別の利点を有している。三角形の仕切りはフレキシビリティの向上をもたらし、例えばケーブル管路として使用され得る。
【００３１】
１つの別の実施形態では、スイングドアが閉鎖位置にあるとき、仕切りの部分が、２つの隣り合うスイングドアの間に延在している。このことは、仕切りの堅牢性および機械的な安定性をさらに高める。１つの別の利点は、隣り合うスイングドアの間に仕切りが延在している場合には、スイングドアシステムの奥行きが最小化される、という点にある。従来技術では、仕切りはキャビティを含む直方体の成形部材の形状を有している。これらの仕切りは、その大きな幅および奥行きに基づき、所要の曲げ剛性を達成している。隣り合うスイングドアの間に延在しかつ／またはＴ字形を有する仕切りは、その特別な設計に基づきその曲げ剛性を達成しており、したがってその幅および奥行きを、従来技術による直方体の仕切りよりも小さくすることができる。
【００３２】
別の実施形態では、仕切りに断熱成形部材が取り付けられている。断熱成形部材の１つの利点は、断熱成形部材は冷凍庫装置の内部に対して仕切りを遮断する、という点にある。さらに断熱成形部材は、仕切りを機械的に安定させるために役立つ。１つの別の実施形態では、断熱成形部材は仕切りに、少なくとも複数の異なる固定点において、形状結合式かつ／またはプレス嵌め式に取り付けられている。例えば、ねじおよび／またはリベットおよび／またはその他の固定部材を用いて、断熱成形部材を仕切りに、複数の異なる固定点において取り付けることが可能である。固定点は、好適には等間隔で、仕切りの高さの少なくとも８０％にわたり配置され得る。さらに断熱成形部材は、仕切りに確実に接着されてよい。断熱成形部材は仕切りに、複数の異なる固定点において、接着剤および／または接着テープおよび／または溶接および／またはろう接により、取り付けられてよい。１つの好適な実施形態では、固定点は、好適には等間隔で、仕切りの高さの少なくとも８０％にわたり配置され得る。さらに、断熱成形部材をその全長にわたって仕切りに確実に接着することも可能である。
【００３３】
上述した方法のうちの１つで断熱成形部材を仕切りに取り付けることは、断熱成形部材を含まない仕切りに比べ、曲げ剛性に関する堅牢性が大幅に高められている、という利点を有している。
【００３４】
断熱成形部材は、プラスチック、好適にはポリマ、より好適にはポリ塩化ビニル（ＰＶＣ）または繊維強化プラスチック、または金属から製造され得る。これらの材料は、熱伝導率が低いという利点を有している。さらに、前記材料は加工が容易である。
【００３５】
別の実施形態では、断熱成形部材は空間、例えば凹部またはキャビティを有しており、前記断熱成形部材の前記空間は、断熱材で満たされている。断熱成形部材を断熱材で満たすということは、改良された断熱および改良された機械的な安定性が達成され得る、という利点を有している。さらに、断熱成形部材は少なくとも部分的に、仕切りを包囲するためのＣ字形の横断面を有していてよい。断熱材は、発泡体、好適にはポリウレタン（ＰＵＲ）発泡体であってよい。発泡体、特にポリウレタン発泡体は、断熱成形部材への適用が容易であると共に、優れた断熱および機械的な安定性をもたらす、という利点を有している。
【００３６】
１つの別の実施形態では、仕切りは少なくとも、２つの隣り合うドアの下から上まで延在する領域内では一体に形成されている。このことは、仕切りが極めて頑丈である、という利点を有している。択一的に、仕切りは少なくとも、２つの隣り合うスイングドアの下から上まで延在する領域において、形状結合式かつ／またはプレス嵌め式に互いに連結されかつ／または確実に結合された、例えば溶接または接着された、少なくとも２つの部材を有している。このことは、いずれの幾何学形状の仕切りも容易に製造され得る、という利点を有している。
【００３７】
１つの別の実施形態では、仕切りはキャビティを有していてよい。キャビティは、例えばケーブルガイドとして使用され得る。択一的に、仕切りは中実であってもよい、すなわちキャビティを有していない。このことは、仕切りが極めて頑丈であると共に、製造が容易である、という利点を有している。
【００３８】
１つの別の実施形態では、特に仕切りが扁平な三角形を有する場合に、仕切りは少なくとも１つのシール面を有している。択一的に、仕切りは少なくとも２つのシール面を有していてもよい。さらに、好適には２つのシール面はそれぞれ、スイングドアが閉鎖位置にあるときにスイングドアが配置されている平面に対して傾斜していてよい。よって、冷凍庫内は、隣り合うスイングドアが閉じられているときには冷凍庫内に暖かく湿った空気が到達しないように、気密にシールされ得る。この構造は、シール面の領域に、パッキンおよび磁気手段が設けられている場合に、特に有利である。なぜならば、スイングドアが開く初期段階中にパッキンに作用する剪断力が最小化されるからである。
【００３９】
別の実施形態では、パッキンは、仕切りおよび／または断熱成形部材に取り付けられている。択一的または追加的に、パッキンは、少なくとも一方のスイングドアに取り付けられていてもよい。パッキンを設けるということは、湿気の侵入および冷却装置内の空気流が減少されるように、冷却装置内を外側からシールすることができる、という利点を有している。好適には、パッキンはポリ塩化ビニル（ＰＶＣ）または熱可塑性エラストマ（ＴＰＥ）またはアクリロニトリル−ブタジエンースチレン（ＡＢＳ）から製造され得る。ＰＶＣまたはＴＰＥまたはＡＢＳから製造されたパッキンは、極めて丈夫であるという利点を有している。別の実施形態では、パッキンおよび断熱成形部材は、隣り合うスイングドアが閉鎖位置にあるときに、仕切りと冷凍庫装置内との間にバリアを形成するように配置されている。このことは、冷凍庫装置内の冷気に対する、仕切りの理想的な断熱が達成されている、という利点を有している。
【００４０】
１つの別の実施形態では、磁気手段は、ドアが閉鎖位置にあるときに、スイングドアを仕切りに磁気的に結合するために設けられている。磁気手段を設けることは有利である。なぜならば、周囲空気に対する冷凍庫装置内部のシールが、さらに向上されるからである。１つの好適な実施形態では、磁気手段として、少なくとも１つの永久磁石が設けられている。
【００４１】
１つの別の実施形態では、スイングドアの透明ガラスには、ガスが充填された絶縁ガラスユニット（ＩＧ）または真空絶縁ガラスユニット（ＶＩＧ）が含まれる。このことは、装置の内部が、暖かい周囲空気から遮断される、という利点をもたらす。典型的には、ガスが充填された絶縁ガラスユニットおよび／または真空絶縁ガラスユニットは、１つ以上のスペーサにより互いに隔てられた少なくとも２つのガラス板、しばしば３つのガラス板を有している。ガラス板は、３ｍｍ〜５ｍｍ、しばしば４ｍｍの厚さを有していてよくかつ／またはくもり止めコーティングあるいはくもり止めフォイルおよび／または加熱可能なコーティングおよび／または低放射コーティングおよび／または反射防止コーティングを有していてよい。真空絶縁ガラスユニット（ＶＩＧ）では、スペーサ部材は０．５ｍｍ〜１．５ｍｍ、好適には１ｍｍ未満の奥行きを有していてよい。ＶＩＧのこれらのスペーサ部材は、周縁シールと組み合わされて使用される。ガスが充填された絶縁ガラスユニット（ＩＧ）では、周縁スペーサは、４〜２０ｍｍの奥行きを有していてよい。ガラス板の間の空間は、絶縁ガラスユニット（ＩＧ）の場合にはガスで満たされてよく、または真空絶縁ガラスユニット（ＶＩＧ）の場合には排気され得る。ガラスユニットを介した視界を妨げないようにするために、スペーサは透明材料から製造され得る。一般に、前記スイングドアの透明ガラスには、上下にいくつかのガラス板が含まれていてよい。
【００４２】
１つの別の実施形態では、少なくとも一方のスイングドアは、不透明領域において少なくとも部分的に、好適には不透明インクにより印刷されている。不透明領域内でスイングドアに印刷するということは有利である。なぜならば、特に不透明インクを使用することで、費用対効果が高い方法で訴求するデザインを生ずることができるからである。
【００４３】
１つの別の好適な実施形態では、仕切りは、金属、好適にはアルミニウムまたは鋼、またはプラスチック、好適には繊維強化プラスチック、またはプラスチック被覆金属、好適にはプラスチック被覆アルミニウムまたはプラスチック被覆鋼から製造されているか、あるいは別の追加的な取付け部品と組み合わされて、上述した材料の組合せから製造されている。金属から製造された仕切りを提供するということは、仕切りが極めて剛性である、という利点を有している。アルミニウムから製造された仕切りは、仕切りが軽量である、という別の利点を有している。鋼から製造された仕切りを提供するということは、仕切りを、磁気手段、例えば永久磁石に対する磁気的な対応部分として使用することができ、これにより、ドアにパッキンが配置されている実施形態においてスイングドア用の磁気的なロックが提供されることになる、という点において有利である。鋼の仕切りは、訴求する表面を達成しかつ腐食から保護するために塗装または他の方法で被覆されてよい。プラスチックは、容易に加工され得、低い熱伝導をもたらす、という利点を有している。繊維強化プラスチックから製造された仕切りは、軽量かつ剛性である。プラスチックによる金属の被覆は、仕切りの腐食を防ぐ。１つの別の実施形態では、仕切りは、構造体の質量を減少させるために、少なくとも１つの開口を有している。仕切りは、パッキンまたは磁石のような、別の部材を有していてもよい。これらの部材はもちろん、仕切りとは異なる材料から製造されてもよい。
【００４４】
１つの別の実施形態では、各スイングドアは、成形部材、好適にはＬ字形の横断面を有する成形部材により、少なくとも部分的に包囲されている。例えばスイングドアの鉛直方向側の一方のみまたは両方が、成形部材を有していてよい。成形部材は、スイングドアの狭幅側に対して保護手段を提供する。Ｌ字形の成形部材は、スイングドアの縁部がさらに先まで保護される、という利点を有している。中実の成形部材を設けることにより、成形部材を容易に製造することができる。
【００４５】
別の実施形態では、パッキンは、隣り合うスイングドアが閉鎖位置にあるときに、成形部材、例えばＬ字形の成形部材と冷凍庫内との間にバリアを形成するように配置されている。この構造により、暖かい周囲空気に対する冷凍庫内の改良された断熱が達成される。
【００４６】
別の実施形態では、店の環境に面した前面ガラス板の上縁は、取付け枠および／または店に面した装置部分と同一平面またはそれより高い平面を閉じるように延長されている。延長された前面ガラスを使用することにより、他の装置部分を隠すことができ、このことは訴求するデザインに寄与する。
【００４７】
別の実施形態では、仕切りの少なくとも一部および／または水平方向の成形部材／成形部材の少なくとも一部を加熱するために加熱手段が設けられており、キャビネットの少なくとも一部を照明するために照明手段が設けられている。仕切りおよび／または水平方向の成形部材／成形部材を加熱することは、これらの部材の表面温度を露点より上に保つことにより、凝縮を防ぐ。照明手段を設けることは、冷凍庫装置内に保管されている品物を、顧客に対して訴求するように提示することができる、という点において有利である。択一的または追加的に、スイングドアを加熱するための加熱手段は一切設けられていない。特に、仕切りに断熱成形部材が取り付けられている場合には、スイングドアの加熱は不要な場合がある。
【００４８】
別の実施形態では、少なくとも一方のスイングドアの回転軸は、不透明領域内に配置されている。回転軸を不透明領域内に配置するということは、回転軸を中心とした角運動をもたらす部品または部材を隠すことができる、という利点を有している。典型的には、少なくとも一方のスイングドアの回転軸は、不透明領域の奥行きに対して偏心的に位置している。回転軸のこの配置は、スイングドアの角運動が仕切りにより妨げられることから、スイングドアを守ることができる。
【００４９】
１つの別の実施形態では、回転軸は、隣り合うスイングドア間の領域に配置されている。隣り合うスイングドア間の領域に回転軸を配置するということは、ドアの障害が簡単な機械的手段により防止される、という利点を有している。
【００５０】
１つの好適な実施形態では、少なくとも一方のスイングドアは、この少なくとも一方のスイングドアの互いに反対の側の各端部に、ヒンジを有している。これにより、スイングドアの回動または旋回式の取付けが簡単に達成され得、したがって設置性が向上されることになる。
【００５１】
本発明の教示を有利に設計しかつさらに発展させる、いくつかの方法がある。そのため、一方では独立特許請求項に従属する特許請求項を参照しかつ他方では図示の本発明の各実施形態の好適な例に関する以下の説明を参照されたい。図面を用いた本発明の好適な実施形態の説明に関連して、通常好適な実施形態および教示のさらなる発展を説明する。
【図面の簡単な説明】
【００５２】
【図１】本発明の１つの実施形態によるスイングドアシステムの隣り合うスイングドアの一部を示す斜視図である。
【図２】図１に示したスイングドアシステムを示す水平方向断面図である。
【図３】本発明の別の実施形態によるスイングドアシステムを示す水平方向断面図である。
【図４】取付け枠に取り付けられた、図３に示したスイングドアシステムを示す正面図である。
【図５】本発明のさらに別の実施形態によるスイングドアシステムを示す水平方向断面図である。
【図６】取付け枠に取り付けられた、図５に示したスイングドアシステムを示す正面図である。
【図７】本発明のさらに別の実施形態による仕切りを示す水平方向断面図である。
【図８】本発明のさらに別の実施形態による仕切りを示す水平方向断面図である。
【図９】本発明の１つの実施形態による冷凍庫装置を示す斜視図である。
【図１０】本発明のさらに別の実施形態によるスイングドアシステムを示す水平方向断面図である。
【発明を実施するための形態】
【００５３】
図１および図２には、本発明の１つの実施形態によるスイングドアシステム２の隣り合うスイングドア１ａ，１ｂの一部の異なる図面が示されている。
【００５４】
隣り合うスイングドア１ａ，１ｂはそれぞれ、複数の透明ガラス３ａ，３ｂを有している。透明ガラス３ａ，３ｂは、スペーサ４ａ，４ｂにより互いに隔てられている。スイングドアシステム２はさらに、Ｔ字形横断面を有する仕切り５を有しており、仕切り５の部分６は、スイングドア１ａ，１ｂが閉鎖位置にあるときには、隣り合うスイングドア１ａ，１ｂの間に延在する。部分６は、隣り合うスイングドア１ａ，１ｂの間には延在しない程度に、より短くてもよい、ということに留意されたい。
【００５５】
図１にはさらに、仕切り５が２つのシール面７ａ，７ｂを有していることが示されており、シール面７ａ，７ｂはそれぞれパッキン８ａ，８ｂを有している。スイングドア１ａ，１ｂはそれぞれ、各スイングドア１ａ，１ｂに不透明エリアを形成する成形部材１４ａ，１４ｂ、層１５ａ，１５ｂおよび印刷部１６ａ，１６ｂを有している。スイングドア１ａ，１ｂの不透明エリアはそれぞれ、スイングドア１ａ，１ｂが閉鎖位置にあるときには、仕切り５の近位に位置している。不透明エリアと仕切り５とは共に、図１および図２に破線の四角形で示した不透明領域９を画定している。水平視野角に応じて、不透明領域９の水平方向の径１０は異なっていてよい。図２には、スイングドア１ａ，１ｂが閉鎖位置にあるとき、すなわち破線の四角形の右側または左側に位置するときに、スイングドア１ａ，１ｂが配置されている平面に対して０°または１８０°の水平視野角で見た不透明領域９の水平方向の径１０として、不透明領域９の奥行き１１が画定されている、ということが示されている。不透明領域９の幅１２は、スイングドア１ａ，１ｂが閉鎖位置にあるときにスイングドア１ａ，１ｂが配置されている平面に対して９０°の水平視野角で見た不透明領域９の水平方向の径１０として画定されている。よって、幅１２は破線の四角形の正面側に相当する。
【００５６】
仕切り５の設計に基づき、不透明領域９の奥行き１１および幅１２は極短く、少なくとも実質的に仕切り５の奥行き３０および幅３１に相当する。不透明領域９の浅い奥行き１１に基づき、顧客が斜めから冷凍庫内を見た場合に、冷凍庫装置の内部の視認度が向上されている。不透明領域９の小さな幅１２は、選択段階の間、すなわち閉じられたスイングドア１ａ，１ｂの前に人が立っている間の視認度を向上させる。
【００５７】
図１および図２には、さらにパッキン８ａ，８ｂがそれぞれ磁石１３ａ，１３ｂを有している、ということが示されている。各磁石１３ａ，１３ｂは、仕切り５の部分６の近くに配置されている。中実でＬ字形の成形部材１４ａ，１４ｂは、隣り合う各スイングドア１ａ，１ｂを保護している。Ｌ字形の成形部材１４ａ，１４ｂは、製品に対する人の視界を遮るため、不透明領域９の一部を形成している、ということに留意されたい。スイングドア１ａ，１ｂの閉鎖位置では、Ｌ字形の各成形部材１４ａ，１４ｂの脚部は、仕切り５のシール面７ａ，７ｂおよび部分６に対して平行である。さらにＬ字形の成形部材１４ａ，１４ｂは、スイングドア１ａ，１ｂが閉鎖位置にあるときに磁石１３ａ，１３ｂと協働する所定の材料の、好適には金属の、例えば鋼の層１５ａ，１５ｂを有している。これによりスイングドア１ａ，１ｂは閉鎖位置に確実に保たれ、その結果、冷凍庫装置の内部のシールが向上されると共に、スイングドア１ａ，１ｂは依然として容易に開放され得る。層１５ａ，１５ｂを設ける代わりに、Ｌ字形の成形部材１４ａ，１４ｂ自体が磁石１３ａ，１３ｂと協働するような材料から製造されてもよい。
【００５８】
隣り合うスイングドア１ａ，１ｂはそれぞれ、図２にのみ示すように不透明領域９に、不透明インクを含む印刷部１６ａ，１６ｂを有していてよい。
【００５９】
図２によれば、左側のスイングドア１ａの回転軸１７は、Ｌ字形の成形部材１４ａ，１４ｂの外面から５ｍｍの間隔１８を置いて不透明領域９に配置されている。スイングドア１ａの厚さ１９に対して、回転軸１７は偏心的に、すなわち外側の透明ガラス３ａに整合するように配置されている。不透明領域９の奥行き１１は、ここでは４２ｍｍであり、不透明領域９の幅１２は４５ｍｍである。さらに、Ｌ字形の成形部材１４ａ，１４ｂ無しの各スイングドア１ａ，１ｂの厚さ１９は２６ｍｍである。閉鎖位置におけるスイングドア１ａ，１ｂ間の隙間２０は５ｍｍである。顧客が不透明領域９の方を水平方向に４５°の水平視野角で見た場合、不透明領域９の水平方向の径１０’は５５ｍｍである、すなわちこの長さは、印刷部１６ａの左端部とシール面７ｂの右端部とにより画定される。
【００６０】
図３および図４には、スイングドアシステム２の別の実施形態が示されている。スイングドアシステム２は、２つの隣り合うスイングドア１ａ，１ｂを有しており、各スイングドア１ａ，１ｂは、スペーサ４ａ，４ｂにより互いに隔てられた複数の透明ガラス３ａ，３ｂを有している。さらに、仕切り５が配置されている。仕切り５はＴ字形であり、スイングドア１ａ，１ｂが閉鎖位置にあるときには、隣り合うスイングドア１ａ，１ｂの間に延在する部分６を有している。部分６は、隣り合うスイングドア１ａ，１ｂの間には延在しない程度に、より短くなっていることも可能である。仕切り５の奥行き３０は、不透明領域９の奥行き１１よりも短い。仕切り５の幅３１は、不透明領域９の幅１２に等しい。仕切りはさらに、シール面７ａ，７ｂを有しており、シール面７ａ，７ｂにはパッキン８ａ，８ｂが取り付けられており、例えば接着またはスナップ係合されている。隣り合うスイングドアは、パッキンの磁石１３ａ，１３ｂと協働する材料から成る楔２３ａ，２３ｂを有している。例えば、楔２３ａ，２３ｂは鋼から成っている。仕切り５のシール面７ａ，７ｂは、隣り合うスイングドア１ａ，１ｂが閉鎖位置にあるとき、透明ガラス３ａ，３ｂに対して傾斜している。よって、スイングドア１ａ，１ｂが開かれるとき、すなわち磁石１３ａ，１３ｂが楔２３ａ，２３ｂから分離されるときにパッキン８ａ，８ｂに作用する剪断力が最小化されている。さらに、仕切り５の設計に基づき、不透明領域９の水平方向の径１０、特に奥行き１１および幅１２が最小化されている。さらに仕切り５の設計は、スイングドアの開きが最小限のときの初期段階中にパッキンに作用する剪断力を回避する。
【００６１】
図４にはさらに、スイングドア１ａを外枠の水平方向の成形部材２２に回動可能に取り付けることができるように、左側のスイングドア１ａはヒンジ部材２１を有している、ということが示されている。右側のスイングドア１ｂも、その右側（図示せず）にヒンジを有していてよい。
【００６２】
図５および図６には、スイングドアシステム２のさらに別の実施形態が示されている。スイングドアシステム２は、２つの隣り合うスイングドア１ａ，１ｂを有しており、各スイングドア１ａ，１ｂは、スペーサ４ａ，４ｂにより互いに隔てられた複数の透明ガラス３ａ，３ｂを有している。さらに、仕切り５が配置されている。仕切り５はＴ字形であり、スイングドア１ａ，１ｂが閉鎖位置にあるときには、隣り合うスイングドア１ａ，１ｂの間に延在する部分６を有している。仕切り５の奥行き３０は、不透明領域９の奥行き１１よりも短い。仕切り５の幅３１は、不透明領域９の幅１２に等しい。よって、図５および図６に示すスイングドアシステム２は、図１および図２に示した実施形態に相当する。図１および図２に示した実施形態とは対照的に、左側のドア１ａの回転軸は、隣り合うスイングドア１ａ，１ｂの間に配置されている。よって、スイングドア１ａ，１ｂが開かれるときにパッキン８ａ，８ｂに作用する剪断力が最小化されていると共に、左側のドア１ａが開かれるときに、右側のドア１ｂが左側のドア１ａを妨害することが防がれている。
【００６３】
図６にはさらに、スイングドア１ａを外枠の水平方向の成形部材２２に回動可能に取り付けることができるように、左側のスイングドア１ａはヒンジ２１を有している、ということが示されている。右側のスイングドア１ｂも、その右側（図示せず）にヒンジを有していてよい。
【００６４】
図７には、本発明のさらに別の実施形態による仕切り５の、開放方向に対して平行な横断面図が示されている。仕切り５は、三角形の横断面を有している。よって仕切り５のシール面７ａ，７ｂは、スイングドアが閉鎖位置にあるとき、隣り合うスイングドアの透明ガラス（図示せず）に対して傾斜している。三角形の仕切り５は、仕切り５の内側部分２４をケーブル管路、ヒートパイプ、加熱部材またはその他の部材として用いることができる、という利点を有している。
【００６５】
図８には、本発明のさらに別の実施形態による仕切り５の、開放方向に対して平行な横断面図が示されている。仕切り５は、Ｙ字形の横断面を有している。よって仕切り５のシール面７ａ，７ｂは、スイングドアが閉鎖位置にあるとき、隣り合うスイングドアのガラス（図示せず）に対して傾斜している。Ｙ字形の仕切り５の部分６は、隣り合うスイングドア（図示せず）の間に延在していてよい。さらに部分６は、隣り合うスイングドアの間には延在しない程度に、より短く実現されてもよい。
【００６６】
図９には、本発明の１つの実施形態による冷凍庫装置２５の斜視図が示されている。冷凍庫装置２５は、キャビネット２６および３つのスイングドアシステム２を有しており、スイングドアシステム２はそれぞれ、２つの隣り合うスイングドア１ａ，１ｂおよび仕切り５を有している。顧客は、スイングドア１ａ，１ｂの透明ガラス３ａ，３ｂを通して製品２７を見ることができる。不透明領域９の浅い奥行き１１および小さな幅１２に基づき、人が斜めから冷凍庫装置２５内を見た場合に、製品２７に対する人の視野が改善されている。さらに、不透明領域９の小さな幅１２は、人が冷凍庫装置２５の前に立ったときの、製品２７に対する視野を改善している。
【００６７】
さらに冷凍庫装置２５は、インタフェース２９に接続されたエネルギ源２８を有しており、エネルギ源２８は、スイングドア１ａ，１ｂ内の加熱部材および／または照明部材にエネルギを供給することができる。
【００６８】
図１０には、スイングドアシステム２のさらに別の実施形態が示されている。スイングドアシステム２は、２つの隣り合うスイングドア１ａ，１ｂを有しており、各スイングドア１ａ，１ｂは、スペーサ４ａ，４ｂにより互いに隔てられた複数の透明ガラス３ａ，３ｂを有している。さらに、仕切り５が配置されている。仕切り５は実質的に三角形であり、スイングドア１ａ，１ｂが閉鎖位置にあるときには、隣り合うスイングドア１ａ，１ｂの間に延在する部分６を有している。部分６は、隣り合うスイングドア１ａ，１ｂの間には延在しないが少なくともその方向を指し示す程度に、より短くなっていることも可能である。さらに、断熱成形部材３３が仕切り５に取り付けられている。断熱成形部材３３は、断熱材３４で満たされた空間３８を有している。この実施形態では、空間３８はキャビティにより画定されており、断熱成形部材３３は中空の成形部材である。断熱成形部材３３は、接着材料３９、例えば付着テープにより、仕切り５に確実に接着されている。断熱成形部材３３は仕切り５に対し、複数の異なる固定点に取り付けられてよいか、または断熱成形部材３３の全長にわたり取り付けられてよい。追加的に断熱成形部材３３は、プレス嵌め式および／または形状結合式の結合をもたらすために仕切り５の凹部３６に嵌合する突起３５を有している。
【００６９】
仕切り５はさらに、水平方向の成形部材に例えばねじを用いて仕切り５を取り付けるための通路３７を有している。
【００７０】
スイングドア１ａ，１ｂはそれぞれ、Ｌ字形の成形部材１４ａ，１４ｂを有している。さらにパッキン８ａ，８ｂが、仕切り５および断熱成形部材３３に取り付けられている。スイングドア１ａ，１ｂが閉鎖位置にあるときに、パッキン８ａ，８ｂは、仕切り５と冷凍庫内との間にバリアを形成する。追加的にパッキン８ａ，８ｂは、スイングドア１ａ，１ｂが閉鎖位置にあるとき、Ｌ字形の成形部材１４ａ，１４ｂと冷凍庫内との間にもバリアを形成するように配置されている。これら２つのバリアが設けられていることにより、極めて良好な断熱が達成され、これにより、スイングドア１ａ，１ｂの加熱は不要である。
【００７１】
さらに、パッキン８ａ，８ｂはそれぞれ、磁石１３ａ，１３ｂを有している。さらにＬ字形の成形部材１４ａ，１４ｂは、所定の材料の、好適には金属の、例えば鋼の層１５ａ，１５ｂを有しており、層１５ａ，１５ｂは、スイングドア１ａ，１ｂが閉鎖位置にあるとき、磁石１３ａ，１３ｂと協働する。これによりスイングドア１ａ，１ｂは閉鎖位置に確実に保たれ、その結果、冷凍庫装置の内部のシールが向上されると共に、スイングドア１ａ，１ｂは依然として容易に開放され得る。層１５ａ，１５ｂを設ける代わりに、Ｌ字形の成形部材１４ａ，１４ｂ自体が磁石１３ａ，１３ｂと協働するような材料から製造されてもよい。
【００７２】
上述の説明および関連する図面に示された教示の利益を享受する、本発明に関係する当業者は、ここで述べた本発明の多くの変更および別の実施形態に想到することになる。したがって、本発明は開示された特定の実施形態に限定されるものではなく、変更および別の実施形態は添付請求項の範囲内に含まれる、ということが意図されていることを理解されたい。ここでは特定の用語を使用したが、これらの用語は一般的な説明の意味で使用しただけに過ぎず、限定を目的とするものではない。
【符号の説明】
【００７３】
１ａ，１ｂ  スイングドア
２  スイングドアシステム
３ａ，３ｂ  透明ガラス
４ａ，４ｂ  スペーサ
５  仕切り
６  部分
７ａ，７ｂ  シール面
８ａ，８ｂ  パッキン
９  不透明領域
１０，１０’  水平方向の径
１１  奥行き
１２  幅
１３ａ，１３ｂ  磁石
１４ａ，１４ｂ  成形部材
１５ａ，１５ｂ  層
１６ａ，１６ｂ  印刷部
１７  回転軸
１８  間隔
１９  厚さ
２０  隙間
２１  ヒンジ
２２  水平方向の成形部材
２３ａ，２３ｂ  楔
２４  内側部分（仕切り）
２５  冷凍庫装置
２６  キャビネット
２７  製品
２８  エネルギ源
２９  インタフェース
３０  奥行き
３１  幅
３２  鉛直方向側
３３  断熱成形部材
３４  断熱材
３５  突起
３６  凹部
３７  通路
３８  空間
３９  接着材料
【図１】
2020183864.tif 000003
【図２】
2020183864.tif 000004
【図３】
2020183864.tif 000005
【図４】
2020183864.tif 000006
【図５】
2020183864.tif 000007
【図６】
2020183864.tif 000008
【図７】
2020183864.tif 000009
【図８】
2020183864.tif 000010
【図９】
2020183864.tif 000011
【図１０】
2020183864.tif 000012
【外国語明細書】
2020183864.tif 000013
2020183864.tif 000014
2020183864.tif 000015
2020183864.tif 000016
2020183864.tif 000017
2020183864.tif 000018
2020183864.tif 000019
2020183864.tif 000020
2020183864.tif 000021
2020183864.tif 000022
2020183864.tif 000023
2020183864.tif 000024
2020183864.tif 000025
2020183864.tif 000026
2020183864.tif 000027
2020183864.tif 000028
2020183864.tif 000029
2020183864.tif 000030
2020183864.tif 000031
2020183864.tif 000032
2020183864.tif 000033
2020183864.tif 000034
2020183864.tif 000035
2020183864.tif 000036
2020183864.tif 000037
2020183864.tif 000038
2020183864.tif 000039
2020183864.tif 000040
2020183864.tif 000041
2020183864.tif 000042
2020183864.tif 000043
2020183864.tif 000044
2020183864.tif 000045
2020183864.tif 000046
2020183864.tif 000047